(57)【特許請求の範囲】
【請求項１】
インターネットに接続するインターホン装置と、前記インターホン装置に設けられ前記インターネットから取得されたウェブ情報を表示する表示装置と、前記インターホン装置に設けられ通話を送受信する通話送受信部と、前記ウェブ情報中のユーザ指定情報に電話番号情報が埋め込まれている場合には前記電話番号情報の転送を受けると共に公衆電話回線網の交換機に前記電話番号の自動ダイヤリングを行ったあと通話路を前記インターホン装置に渡す回線転送アダプタとを備え、
前記インターホン装置がインターネットを介して取得するウェブ情報は、情報リストを作成するプロバイダが提供するウェブ情報であり、
前記インターホン装置が集合住宅の各戸に設置され、各インターホン装置の共用装置が前記インターネットに接続される構成となっており、
前記共用装置の一つとしてサーバを備え、前記サーバが定期的にインターネットにアクセスして前記プロバイダの提供する最新のウェブ情報を取得すると共に各インターホン装置に前記最新のウェブ情報を配信するものであり、
前記インターホン装置は、前記サーバから取得したウェブ情報が古い情報であると認識した場合、あるいはユーザによる最新情報の読み込み指示入力があった場合は、前記プロバイダのサーバに直接アクセスして最新のウェブ情報を取得するインターホンシステム。
【発明の詳細な説明】
【０００１】
【発明の属する技術分野】
本発明は集合住宅用等のインターホンシステムに係り、特に、インターネットと公衆電話回線網の両方に接続されるインターホンシステムに関する。
【０００２】
【従来の技術】
インターネットが普及し、様々な情報をインターネット経由で取得することが容易になってきている。例えば、最寄りの駅の近傍に在るレストランの一覧データを検索しこれをコンピュータ画面や携帯電話機の表示画面に表示させて、昼食をとるレストランを選択したり、その一覧データから知ったレストランの電話番号に公衆電話回線を介して電話をかけ、出前の注文をしたりすることが容易となってきている。
【０００３】
【発明が解決しようとする課題】
上述したように、インターネットが普及し、様々な情報がインターネット経由で提供される環境が整備されてきている。このことは、逆に、従来の紙媒体による情報の提供量が減ることを意味し、コンピュータや多機能な携帯端末機器を自在に操作できる人にとってインターネットは便利であるが、これら機器を自在に操ることができない高齢者等の情報弱者は、必要な情報に容易にアクセスできなくなり、社会生活上問題となる。
【０００４】
そこで、インターネットで提供される情報に対し高齢者等でも容易にアクセスできるように、集合住宅等で普通に使用されているインターホン装置を用いてインターネットにアクセスするシステムの開発が望まれる。しかし、集合住宅用インターホン装置の共用装置をネットワークに接続しておき、インターホン装置の所定ボタンを押下することで、例えば最新の緊急連絡先一覧データを当該インターホン装置の表示画面に表示させることは容易でも、そのリスト中の病院等の電話番号に別途電話をかける（ダイヤルする）という動作自体は、画面を見ながら手動でダイヤリングしなければならないため、高齢者等にとって非常に辛い動作となる。
【０００５】
本発明の目的は、インターホン装置を用いてアクセスしたインターネット情報中に電話番号が含まれる場合に当該電話番号のダイヤリングを容易とするインターホンシステムを提供することにある。
【０００６】
【課題を解決するための手段】
上記目的は、インターネットに接続するインターホン装置と、前記インターホン装置に設けられ前記インターネットから取得されたウェブ情報を表示する表示装置と、前記ウェブ情報中のユーザ指定情報に電話番号情報が埋め込まれている場合には前記電話番号情報の転送を受けると共に公衆電話回線網の交換機に前記電話番号の自動ダイヤリングを行ったあと通話路を前記インターホン装置に渡す回線転送アダプタとを備えることで達成される。
【０００７】
上記において、前記通話路を渡す相手先がインターホン装置ではなく電話機とすることも可能であり、また、前記インターホン装置と前記回線転送アダプタとを一体品とすることもでき、更に、上記において、好適には、前記表示装置にはタッチパネルを装備し、また、前記インターホン装置がインターネットを介して取得するウェブ情報は情報リストを作成するプロバイダが提供するウェブ情報とする。
【０００８】
上記目的は、また、上記のインターホン装置が集合住宅の各戸に設置され、各インターホン装置の共用装置が前記インターネットに接続される構成となっており、また、共用装置の一つとしてサーバを備え、前記サーバが定期的にインターネットにアクセスして前記プロバイダの提供する最新情報を取得すると共に各インターホン装置に前記最新情報を配信することで達成される。
【０００９】
インターホン装置の表示画面でウェブブラウジングし、その中の或る情報をタッチパネル等を通してユーザが指定したとき、その情報中に埋め込まれた電話番号に回線転送アダプタが自動ダイヤリングしてインターネット網とは別に公衆電話回線網を介して相手先と電話で自動接続するため、ユーザは、インターホン装置という身近な装置を用いてインターネット情報に容易にアクセス可能になると共に、電話番号を意識しなくても相手先と電話で通話可能となる。
【００１０】
【発明の実施の形態】
以下、本発明の一実施形態について、図面を参照して説明する。
図１は、本発明の一実施形態に係るインターホンシステムの全体図である。この実施形態に係るインターホンシステムは、集合住宅用のインターホンシステム全体を制御する中央制御装置１を備える。中央制御装置１には、配線２を介して共用装置が接続されると共に、配線３を介して各戸別のインターホン装置が接続される。
【００１１】
本実施形態に係る共用装置は、集合住宅の管理事務室に設置される管理事務室親機４と、共同玄関に設置される共同玄関子機５と、アダプタ６に接続され集合住宅の各戸別対応に一括して配置された宅配ロッカ（図示せず）を制御するロッカ制御部７と、通報機アダプタ８に接続され図示しない各種警報センサからの警報を受信したとき警報を発信する通報機９と、インターホン装置を用いて外線と通話するときに使用される外線アダプタ１０と、インターホン装置をインターネットに接続するときに使用するゲートウェイ１１及びこれに接続されるルータ１２と、このルータ１２に接続された当該集合住宅専用の構内サーバ１３と、集合住宅の各所に設置される監視カメラ１４ａ，１４ｂ，１４ｃ，１４ｄ及びこれらカメラをインターホンシステムに接続すると映像伝送アダプタ１５とを備える。
【００１２】
通報機９と外線アダプタ１０とルータ１２とは専用回線網等２０に接続され、これらは専用回線網２０を介して他所に在るマンション管理センタ２１やＶＰＮ等（バーチャルプライベートネットワーク）を通じてアプリケーションサービスセンタ（ＡＳＰ）２２に接続されている。尚、通報機９および外線アダプタ１０およびルータ１２と、マンション管理センタ２１及びＡＳＰ２２とは、専用回線網２０ではなく、公衆回線網を介して必要時にダイヤリングすることで接続される構成でもよい。
【００１３】
本実施形態に係る各戸別のインターホン装置は、集合住宅の玄関に設置されるインターホン装置３０と、各戸別に設置されるインターホン装置３１とからなる。各戸別に設置されるインターホン装置３１は、大型（例えば５．８インチ）のカラー液晶によるモニタが一体に設けられた室内親機３２と、このモニタ一体型室内親機３２に接続され各戸別の玄関に設置される子機３３とを備える。また、各戸には、室内親機３２に接続されるアナログ回線転送アダプタ３４と、親機３２およびアダプタ３４に接続される拡張ユニット３５とが備えられ、拡張ユニット３５に各種警報機等のセンサ（図示せず）が接続されると共に手持ち電話機３６が接続され、アナログ回線転送アダプタ３４は公衆電話回線網２４に接続される。
【００１４】
室内親機３２のモニタ３２ａには、例えば玄関に設置したカメラで撮影される訪問者の映像を表示したり、室内親機３２からゲートウェイ１１，ルータ１２，専用回線網２０を介して接続したインターネットから取得するウェブ情報等を表示する。本実施形態では、モニタ３２ａの表面には、高齢者でも容易に操作することができるタッチパネルが装備されている。ウェブ情報は、室内親機３２を直接オンラインでインターネットに接続して得ることもできるが、室内親機３２の記憶装置の容量に限度があるため、構内サーバ１３によって取得した大量のウェブ情報を大容量記憶装置にセーブしておき、必要時にサーバ１３から目的のウェブ情報のみを読み出してモニタ３２ａに表示するようにもできる。
【００１５】
アプリケーションサービスプロバイダ（ＡＳＰ）２２は、その集合住宅が存在する地域の情報、例えば、当該地域における休日診療当番医リスト，近所のコンビニのリスト，喫茶店のリスト，宅配ピザリスト，商店街のリストや、役場のリスト，緊急連絡先リストなどを作成すると共に、それらを常に最新情報に更新しており、この最新情報を、ＡＳＰのサーバ２２にウェブ情報として格納している。このようなＡＳＰの業務は、地域に密着した商店街やコンビニエンスストア等に委託することもできる。そして、集合住宅用の構内サーバ１３は、自動的且つ定期的にルータ１２と専用回線網２０を介してＡＳＰのサーバ２２にアクセスし、最新の上記ウェブ情報を読み出し、これをサーバ１３内の記憶装置に格納しておく。
【００１６】
図２は、図１に示すモニタ一体型室内親機３２と、アナログ回線転送アダプタ３４の詳細構成図である。室内親機３２は、デジタルペア線インタフェース（Ｉ／Ｆ）４０を備え、このＩ／Ｆ４０が、デジタルペア線（図１の符号２，３）を介して、中央制御装置１や宅配ロッカ制御部７、ＩＰゲートウェイ１１に接続されている。宅配ロッカ制御部７は、集合住宅の戸別毎に用意された宅配ロッカに荷物が入れられた時、当該宅配ロッカに対応する室内親機３２に対して荷物が届いたことをブザーやモニタ表示等の方法により報知する機能を持つ。
【００１７】
室内親機３２は、親機全体を制御するＣＰＵ４１と、前述した液晶表示部（モニタ）３２ａと、各種情報を記憶しておく情報格納部４２と、通話するときに使用するハンドセット部４３と、詳細は後述するようにして使用する回線転送アダプタインタフェース４４と、モニタ３２ａに設けられたタッチパネル入力部４５と、ウェブ情報をモニタ表示可能な映像情報に変換する映像処理部４６と、室内親機３２に設けられている各種スイッチ対応のＬＥＤ表示部４７と、内蔵時計としての時刻管理部４８と、室内各所に設置されたセンサに接続されるセキュリティセンサ入力部４９と、警報音発生部５０と、警報音拡声部５１と、前述したデジタルベア線インタフェース４０とを備え、これらは、バス５２により相互に接続されている。また、室内親機３２は、商用電源に接続される電源部５３を備える。
【００１８】
情報格納部４２は、リスト情報格納部４２ａと、各種情報格納部４２ｂとを備え、室内親機３２が構内サーバ１３内に取り込まれたウェブ情報にアクセスしたとき、当該ウェブ情報の上記各種リストが最新リストであるか否かを情報中にある更新時刻により判断し、最新リストをリスト情報格納部４２ａに格納する。回線転送アダプタインタフェース（Ｉ／Ｆ）４４は、ハンドセット部４３を用いた通話を送受信する通話送受信部４４ａと、通話以外のデータを送受信するデータ入出力部４４ｂとを備える。
【００１９】
アナログ回線転送アダプタ３４は、このアダプタ３４全体を制御するＣＰＵ５５と、室内親機３２側のアダプタＩ／Ｆ４４と接続されるモニタ一体型室内親機インタフェース５６と、情報を格納する情報格納部５７と、回線インタフェース５８とを備える。親機Ｉ／Ｆ５６は、親機側Ｉ／Ｆ４４の通話送受信部４４ａと接続される通話送受信部５６ａと、親機側Ｉ／Ｆ４４のデータ入出力部４４ｂと接続されるデータ入出力部５６ｂと、これらを相互に接続するバス５４とを備える。また、アダプタ３４は、商用電源に接続される電源部５９を備える。
【００２０】
情報格納部５７は、各種情報を格納する格納部５７ａの他に、電話番号を格納する電話番号格納部５７ｂを備える。回線Ｉ／Ｆ５８は、電話番号格納部５７ｂに格納された電話番号のダイヤル信号を送出するダイヤル信号送出部５８ａと、公衆電話回線網の交換局２４との間で接続され前記ダイヤル信号にて通話可能となった例えば病院２５との通話を可能とする通話送受信部５８ｂとを備える。この通話送受信部５８ｂと病院２５などとの間の通話信号は、通話送受信部５８ｂと通話送受信部５６ａとの間で授受され、通話送受信部５６ａと通話送受信部４４ａとの間で授受され、室内親機３２のハンドセット部４３を用いて、病院２５との間の通話が可能となる。
【００２１】
上述した構成のインターホンシステムにおいて、室内親機３２の予め定められたスイッチ釦を押下すると、ＣＰＵ４１は、このスイッチ釦押下の指令がウェブ情報閲覧指令であると認識して、サーバ１３にアクセスし、サーバ１３の保有するウェブ情報を自身の情報格納部４２に読み込むと共に、液晶表示部３２ａに表示する。このとき、サーバ１３から取得したウェブ情報が古い情報であるとその日付等から認識した場合には、あるいは室内親機３２のモニタ３２上のタッチパネルからユーザによる最新情報の読み込み指示入力があった場合には、ルータ１２を介して専用回線網２０から直接インターネットに接続し、ＡＳＰのサーバ２２にアクセスし、最新のウェブ情報を取得する。集合住宅にサーバ１３を設置していない場合には、直接インターネットに接続して、その都度、最新情報をＡＳＰ２２から取得する。
【００２２】
読み込まれたウェブ情報は、映像処理部４６にて処理した後モニタ３２ａに表示する。上述したリスト情報については、情報格納部４２のリスト情報格納部４２ａに格納すると共に、モニタ３２ａ上に、図３に示すリスト情報の一覧（休日診療当番医リスト，コンビニリスト，出前リスト等）を表示する。そして、ユーザにいずれかのリストを選択させる。この選択はモニタ３２ａ上で該当リストを指でタッチさせることで行ったり、あるいは室内親機３２に設けられたカーソル指示キー等で選択させる。そして、例えば休日診療当番医リストが選択された場合には、図４の上側に示される様に、そのリスト内容の一覧をモニタ３２ａ上に表示する。
【００２３】
この図３の上側に示されるリストは、休日診療当番医の病院名の一覧とその住所であるが、この病院名リストの裏側に、各病院名と一対一に対応付けられた電話番号がタグ情報として埋め込まれており、このタグ情報リスト（電話番号リスト：図３の下側）がリスト情報格納部４２ａに記憶されている。この電話番号リストは、例えばＨＴＴＰ等の言語で記述されている。ユーザがその電話番号を意識することなく、モニタ３２ａ上の、例えば内科の「佐江戸病院」を指でタッチすると、「佐江戸病院」の電話番号（９３２―××××）がリスト情報格納部４２ａからデータ入出力部４４ｂ，５６ｂを介してアダプタ３４の電話番号格納部５７ｂに転送される。
【００２４】
電話番号の転送を受けたアダプタ３４のＣＰＵ５５は、この電話番号に基づき、自動的にダイヤル信号送出部５８ａから公衆電話回線網２４の交換機に対してダイヤル信号を送出し、その後、通話路を室内親機３２側に渡し、室内親機３２は、ユーザに対して警報音を鳴らす等して室内親機３２の受話器（ハンドセット）を取るように促す。これにより、ユーザは、病院の電話番号を手動でダイヤルすることなく、病院と通話することが可能となる。また、電話番号を意識する必要がないため、ＡＳＰ２２が提供するウェブ情報が常に最新の情報に更新されていれば、病院の電話番号が変更になっていても、それをユーザが知る必要もない。通話終了時は、受話器（ハンドセット）をオンフックすることで、回線が開放される。尚、アダプタ３４が相手先にダイヤルしたあと、通話路をインターホン装置ではなく、例えば図１の電話機３６に渡すように指定することも可能である。
【００２５】
このように、本実施形態によれば、各種情報がインターネット経由で提供されても、身近なインターホン装置でインターネットを利用することができ、しかも、その情報に基づいて必要な施設に自動的に電話をかけることができるため、高齢者などでもインターネット情報を有効に活用可能となり、また、情報提供側も高齢者などに必要な情報を十分に提供可能となる。
【００２６】
また、オンラインショッピングなどでは、インターネットのセキュリティ面がまだ十分と言えないため、情報閲覧はインターネットで行うが、注文するときにインターネット経由でクレジットカード番号等を送るのに躊躇する人が多い。この場合、注文は公衆電話回線網を用いた通常の電話で行うという形態が、インターネットのセキュリティが確立するまでのあいだ一般的になると、ウェブ情報中に自社製品注文用の電話番号を埋め込むホームページが増え、上述したインターホン装置が有効に利用可能となる。
【００２７】
更にまた、本実施形態によれば、情報閲覧はインターネット経由で行い、通話は公衆電話回線網を介して行う構成のため、ＱｏＳ等の特別な技術が不要となり、システム単価を低減することができる。
【００２８】
尚、上述した実施形態では、各戸別のインターホン装置の夫々がインターネット情報にアクセスする場合について述べたが、構内サーバ１３がその地域で必要なリスト情報を取得したときやいずれかのインターホン装置が最新情報にアクセスしたとき、全戸のインターホン装置に最新情報をマルチキャストして各インターホン装置の情報格納部に最新情報を保持させる構成とすることも可能である。
【００２９】
【発明の効果】
本発明によれば、高齢者でも容易にインターネット情報にアクセスすることができ、しかも、インターネット情報中にある相手先の最新の電話番号を意識することなく相手先に自動的に電話をかけることができるので、情報弱者への十分な情報提供が可能になると共に、緊急時などの連絡が容易となり社会生活の安全性や利便性を向上させることが可能となる。
【図面の簡単な説明】
【図１】本発明の一実施形態に係るインターホンシステムの全体図である。
【図２】図１に示す室内親機とアナログ回線転送アダプタの詳細構成図である。
【図３】リストの一覧情報の一例を示す図である。
【図４】図３に示す一覧の中の一リストの内容を示す図である。
【符号の説明】
１３  集合住宅用の構内サーバ
２２  ＡＳＰ（アプリケーションサービスプロバイダ）のサーバ
２４  公衆電話回線網
３１  インターホン装置
３２  室内親機
３４  アナログ回線転送アダプタ
４２，５７  情報格納部
【図１】
0004517476.tif 000002
【図２】
0004517476.tif 000003
【図３】
0004517476.tif 000004
【図４】
0004517476.tif 000005